(57)【要約】  複数のセルと、無線インターフェースを通じて現セルに位置した移動通信機器に複数のマルチキャスト／ブロードキャストサービスを提供するように構成された１つ以上のマルチキャスト／ブロードキャストサービスプロバイダを有するセルラー通信ネットワークにおいて、前記移動通信機器がマルチキャスト／ブロードキャストサービスを受信することができるように無線ベアラー構成情報を提供する方法は、前記無線ベアラー構成と関連した情報を含んでいるメッセージを移動通信機器に提供するステップと、前記メッセージを周期的に前記現セルにある移動通信機器に伝送するステップとを含み、それぞれの前記メッセージは、前記移動通信機器が前記現セルにある時に、前記移動通信機器に対して伝送されることができる複数のマルチキャスト／ブロードキャストサービスと関連している。
2008510424.tif 000002
【特許請求の範囲】
【請求項１】
複数のセルと、無線インターフェースを通じて現セルに位置した移動通信機器に複数のマルチキャスト／ブロードキャストサービスを提供するように構成された１つ以上のマルチキャスト／ブロードキャストサービスプロバイダを有するセルラー通信ネットワークにおいて、前記移動通信機器がマルチキャスト／ブロードキャストサービスを受信することができるように無線ベアラー構成情報を提供する方法であって、
前記無線ベアラー構成と関連した情報を含んでいるメッセージを移動通信機器に提供するステップと、
前記メッセージを周期的に前記現セルにある移動通信機器に伝送するステップと、
を含み、
それぞれの前記メッセージは、前記移動通信機器が前記現セルにある時に、前記移動通信機器に対して伝送されることができる複数のマルチキャスト／ブロードキャストサービスと関連している
ことを特徴とする方法。
【請求項２】
前記メッセージは、前記現セルから前記移動通信機器に対して伝送されることができる前記複数のマルチキャスト／ブロードキャストサービスと関連した第１メッセージタイプを含むことを特徴とする請求項１記載の方法。
【請求項３】
前記メッセージは、隣接セルから前記移動通信機器に対して伝送されることができる前記複数のマルチキャスト／ブロードキャストサービスと関連した第２メッセージタイプを含むことを特徴とする請求項１記載の方法。
【請求項４】
それぞれの隣接セルに対する単一の第２メッセージタイプが存在することを特徴とする請求項３記載の方法。
【請求項５】
前記メッセージは、前記現セル及び前記隣接セルから前記移動通信機器に対して伝送されることができる前記複数のマルチキャスト／ブロードキャストサービスと関連した第３メッセージタイプを含むことを特徴とする請求項１記載の方法。
【請求項６】
前記現セルと関連したパラメータ値が所定限界値未満であるかどうかを判断して、判断の結果、所定限界値未満であれば、前記複数のマルチキャスト／ブロードキャストサービスと関連したメッセージを提供することを中止するステップと、
第４メッセージタイプを提供するステップと、
前記移動通信機器が前記現セル、または、１つ以上の隣接セルから前記特定サービスのみを受信するために必要とする前記無線ベアラー構成と関連した情報を提供するステップと、
前記現セル内で前記第４メッセージタイプを周期的に伝送するステップと、
を更に含み、
前記第４メッセージタイプは、前記移動通信機器が前記現セルに位置した時に、前記移動通信機器に対して伝送されることができる前記第４メッセージタイプ内の１つの特定サービスと関連している
ことを特徴とする請求項１記載の方法。
【請求項７】
前記パラメータ値が所定限界値を超過するかどうかを判断して、判断の結果、所定限界値を超過すれば、前記第４メッセージタイプを提供することを中止するステップと、
前記移動通信機器が前記現セルにある時に、前記移動通信機器に対して伝送されることができる前記複数のマルチキャスト／ブロードキャストサービスと関連したメッセージを提供するステップと、
前記現セル内で前記メッセージを周期的に伝送するステップと、
を更に含むことを特徴とする請求項６記載の方法。
【請求項８】
前記無線ベアラー構成と関連した情報は、前記無線ベアラー構成情報であることを特徴とする請求項１記載の方法。
【請求項９】
前記無線ベアラー構成と関連した情報は、前記無線ベアラー構成情報に対する参照値であることを特徴とする請求項１記載の方法。
【請求項１０】
前記無線ベアラー構成情報は、実際の無線ベアラー構成、伝送チャンネル構成及び物理チャンネル構成と関連した情報であることを特徴とする請求項８または９記載の方法。
【請求項１１】
前記無線ベアラー構成が最後の変更周期の以後に変更されたならば、前記メッセージを反復周期の開始時点に伝送することを特徴とする請求項１記載の方法。
【請求項１２】
前記メッセージのうち、少なくとも１つは、前記移動通信機器が前記サービスを受信するために必要な物理チャンネルの任意の共通構成に対する単一の参照値を含むことを特徴とする請求項１記載の方法。
【請求項１３】
前記メッセージのうち、少なくとも１つは、前記移動通信機器が前記サービスを受信するために必要な伝送チャンネルの任意の共通構成に対する単一の参照値を含むことを特徴とする請求項１記載の方法。
【請求項１４】
ブロードキャストマルチキャストサービスセンターを有するコアネットワークと、１つのセルに位置した１つ以上の移動通信機器に対して無線インターフェースを経由して連結されるように構成された少なくとも１つの基地局に連結されている無線ネットワーク制御器を有する無線接続ネットワークを含んで、前記ブロードキャストマルチキャストサービスセンターからマルチメディアブロードキャストマルチキャストサービスを前記移動通信機器の中の１つに提供する地上波移動型セルラーネットワークにおいて、前記移動通信機器が少なくても１つのマルチメディアブロードキャストマルチキャストサービスを受信することができるように無線ベアラー構成を規定することに利用される無線ベアラー構成情報メッセージを、無線インターフェースを経由してマルチキャスト制御チャンネルを介して送る方法であって、
各セル内でそれぞれの無線ベアラー構成情報メッセージを周期的に伝送するステップを含み、
各セルに対する前記無線ベアラー構成メッセージは、前記セル内で前記移動通信機器が受信することができる複数のマルチメディアブロードキャストマルチキャストサービスと関連した無線ベアラー構成情報を含む
ことを特徴とする方法。
【請求項１５】
複数のセルと、無線インターフェースを通じて現セルにサービスを提供するように構成された１つ以上のサービスプロバイダを有するセルラー通信ネットワークにおいて、移動通信機器が少なくても１つのサービスを受信することができるようにする情報を受信する方法であって、
前記サービスのうち、少なくとも１つを前記現セルにある移動通信機器に伝送するように構成された無線ベアラーの無線ベアラー構成と関連したメッセージを受信するステップと、
前記情報を利用して前記移動通信機器が少なくても１つのサービスを受信するための通信リンクを設定するステップと、
を含み、
それぞれの前記メッセージは、前記移動通信機器が現セルまたは隣接セルから受信することができる複数のサービスと関連している
ことを特徴とする方法。
【請求項１６】
請求項１乃至１５のうち、いずれか１項に従う方法を遂行するように構成されたことを特徴とする地上波モードセルラーシステム。
【請求項１７】
請求項１乃至１５のうち、いずれか１項に従う方法によりメッセージを伝送するように構成されたことを特徴とする無線ネットワーク制御器。
【請求項１８】
請求項１乃至１５のうち、いずれか１項に従う方法により伝送されるメッセージを受信するように構成されたことを特徴とする移動通信機器。
【発明の詳細な説明】
【技術分野】
【０００１】
本発明は、マルチメディアブロードキャストマルチキャストサービス（ＭＢＭＳ：Multimedia Broadcast Multicast Service）無線ベアラー（ＲＢ：Radio Bearer）構成情報の伝送に関し、より詳しくは、そのような情報を伝送して使用者装置（ＵＥ：User Equipment）が点対多点（ｐ−ｔ−ｍ）マルチメディアセッションが受信できるようにする情報伝送に関する。
【背景技術】
【０００２】
ＭＢＭＳは、ビデオ及びオーディオファイルのストリーミング、ニュースアップデートなどのような情報をセルラー移動通信のシステムの使用者に提供するサービスである。このようなサービスは、単一セッションで進行したり、データの一部を伝送する多数の連続的な個別セッションで構成されることができる。ＭＢＭＳは、所定セル内の全ての使用者に情報をブロードキャスティングするブロードキャストモードで利用することができる。または、セル内の下位グループの使用者のみが要請した情報（例えば、サッカー競技結果）を伝送するマルチキャストモードを利用することができる。このようなマルチキャストモードは加入が必要なサービスに有用である。
【０００３】
ＭＢＭＳを汎用移動通信システム（ＵＭＴＳ：Universal Mobile Telecommunications System）ネットワークで利用することが計画されている。幾つかの第３世代パートナーシッププロジェクト（３ＧＰＰ：3rd Generation Partnership Project）技術規定を利用して関連規定を提供することができる。このような技術規定は、http：//www. 3gpp. org／specs／specs.htmで探すことができる。本特許出願と関連した一部の例には、3GPP TS 22.146、3GPP TS 25.301、3GPP TS 25.346、3GPP TS 25.401、そして3GPP TS 25.246がある。
【０００４】
典型的なＵＭＴＳ無線ネットワークアーキテクチャを図１に図示した。コアネットワーク１０１がＩｕインターフェースを経由して１つ以上の無線ネットワーク下位システム１０３に連結されている。各無線ネットワーク下位システム１０３内では、無線ネットワーク制御器１０５がＩｕｂインターフェースを経由して１つ以上の基地局に連結されている。汎用地上波無線アクセスネットワーク（ＵＴＲＡＮ：Universal Terrestrial Radio Access Network）の場合にはノードＢ１０７が基地局である。Ｉｕｒインターフェースを使用して、各無線ネットワーク制御器１０５は、他の無線ネットワーク制御器１０５と相互連結されることができる。
【０００５】
各ノードＢ１０７は、１つ以上のセルを制御することができる。各セル内の多数のＵＥの中の一部は、前記コアネットワーク１０１に位置したブロードキャストマルチキャストサービスセンター（ＢＭ−ＳＣ：Broadcast Multicast Service Center）が提供するＭＢＭＳサービスを受信することができる。前記ＭＢＭＳサービスは、セル内の全てのＵＥにブロードキャスティングされたり、特定のサービスに加入したＵＥの選択されたグループのみにマルチキャスティングされる。前記ＵＥは、移動通信機器、例えば移動電話機またはＰＤＡである。ＵＥは無線インターフェース（Ｕｕ）を経由してノードＢ１０７に連結されている。
【０００６】
特定のＭＢＭＳサービスのデータ伝送セッションに使用する伝送モードの形態、即ち、点対点（ｐ−ｔ−ｐ）モードと点対多点（ｐ−ｔ−ｍ）モードのうち、どれを使用するかは、前記特定サービス及び／またはセッションの受信に関心のあるセル内のＵＥの数によって選択される。ＵＴＲＡＮがどの伝送モードを使用するかを決定する。例えば、セル内に制限された数のＵＥ（例えば、４未満）があれば、ＵＴＲＡＮは最小限の無線容量を消耗するために、ＭＢＭＳが供給する情報をｐ−ｔ−ｐモードを利用して無線インターフェースを介して伝送することに決定する。仮りに、より多いＵＥがセル内にあれば、可用無線容量をより経済的に利用するために、ｐ−ｔ−ｍ伝送モードを使用する。
【０００７】
ＵＴＲＡＮが、ＭＢＭＳの供給する情報をｐ−ｔ−ｍモードで伝送することに決定すれば、ＲＢ構成情報がＭＢＭＳ制御情報内に提供される。ＭＢＭＳ制御情報は、ＭＢＭＳ制御チャンネルを介して伝送され、ＵＥは無線インターフェース（Ｕｕ）を通じてこのＭＢＭＳ制御チャンネルをマルチキャスト制御チャンネル（ＭＣＣＨ）として認識する。現セルでＭＣＣＨを介して提供されるＲＢ構成情報は、所定のＵＥが現セルで利用可能なサービス及び隣接セルから潜在的に利用できるサービスをｐ−ｔ−ｍモードで受信できるようにする。これらのサービスと関連して提供される情報には、ＵＥが現在のセル内で無線ベアラーからＭＢＭＳデータを受信するために必要とするＲＢ構成情報だけでなく、ＭＴＣＨ（Multicast-Traffic-Channel）を介してｐ−ｔ−ｍモードで同一なＭＢＭＳデータを提供することができる一部の隣接セル内で、無線ベアラーから前記データを受信するためのＲＢ構成情報も含まれる。ＵＥは受信の質を改善するために、隣接セルの無線ベアラーから受信したＭＢＭＳデータと現セルの無線ベアラーから受信したＭＢＭＳデータを結合することができる。充分な受信可能範囲を提供するために各セルで必要とする電力を減少させることによって、受信の質が向上する。既知のＲＢ構成情報シグナリング方法が、以下に更に詳細に記述される。即ち、ＵＥは、隣接セルから時間整列ＭＴＣＨ伝送を受信することができるが、これは前記セルのＭＣＣＨを受信しなくても可能である。
【０００８】
ＭＣＣＨを介して伝送される各サービスと関連したＲＢ構成情報は正確に同一な内容で数回繰り返される。このようなＭＣＣＨ情報は、所定の変更周期内で毎度繰り返される周期が始まる度に伝送される。図２を参照すれば、既知のシステムに従うＭＣＣＨを介したメッセージのスケジューリングが図示されており、ここで、最後の変更周期の以後に変更された各サービス関連ＭＢＭＳ ＲＢ情報２０１を含むメッセージは、反復周期の開始部分に配置される一方、変更されていない各サービス関連ＭＢＭＳ ＲＢ情報２０３、または、変更されていない共通ＲＢ情報２０５を含む他のメッセージは、反復周期の後方のタイムスロットに配置される。即ち、ＭＢＭＳ通知をまず伝送して、それぞれの変更されたサービスに対する情報を提供する。以後、１つ以上のＭＢＭＳサービスｐ−ｔ−ｍ  ＲＢ情報メッセージ、または、共通ＲＢ情報メッセージの形態で情報を伝送するが、このような情報には、前記ＭＢＭＳサービスと関連したＲＢ構成情報のうち、任意の変更された情報が含まれる。以後、ＵＴＲＡＮが、前記変更された情報を含む最終伝送時間間隔（ＴＴＩ：Transmission Time Interval）を表すスケジューリング情報を提供することで、ＲＢ構成情報を既に受信したＵＥは、前記ＴＴＩを表す情報を受信した後、ＲＢ構成情報をこれ以上読取る必要がなくなる。
【０００９】
ＭＢＭＳが提供する各サービスは１つの無線ベアラーに該当することが典型的である。無線ベアラーは伝送チャンネルにマッピングされると共に、ＭＢＭＳの場合には、無線ベアラーは順方向アクセスチャンネル（ＦＡＣＨ）にマッピングされる。１つ以上の無線ベアラーが１つの共通ＦＡＣＨにマッピングされる。前記ＦＡＣＨは、所定のサービス品質（ＱｏＳ）、例えば所定のデータ速度、残留エラー率及び遅延を有するデータを伝送するための手段を提供する。したがって、同一なサービス品質を要求するサービスは、全て同一な伝送チャンネル（ＦＡＣＨ）にマッピングされることが典型的である一方、より低いか、またはより高いＱｏＳを必要とするサービスは、他の伝送チャンネル（ＦＡＣＨ）にマッピングされる。
【００１０】
１つ以上の伝送チャンネル（ＦＡＣＨ）は物理チャンネルにマッピングされると共に、ＭＢＭＳの場合には、伝送チャンネル（ＦＡＣＨ）は２次共通制御物理チャンネル（Ｓ−ＣＣＰＣＨ：Secondary-Common Control Physical Channel）にマッピングされる。それぞれの物理チャンネルが有する特徴の例には、電力制御の種類、セル範囲、送信ダイバシティなどの特定技術の使用がある。
【００１１】
既知のＵＭＴＳにおいて、ＭＢＭＳ ＲＢ構成情報の伝送は２つのメッセージを用いて遂行される。
【００１２】
第一に、“共通ＲＢ情報”メッセージを用いて、２つ以上のサービス間に共通するか、または２つ以上のセル間に共通するＲＢ構成情報を維持及び伝送する。
【００１３】
このような“共通ＲＢ情報”メッセージは、無線ベアラーの構成が以前の変更周期の以後に変更されたかどうかによって、変更された情報を含むか、または変更されていない情報を含むことができる。
【００１４】
第２に、ｐ−ｔ−ｍモードを使用して提供されている各サービスと関連して、ＵＥが現在位置しているセルで前記サービスに該当する無線ベアラーがどのように構成されるか、及び、同様に、隣接セルのＭＴＣＨを介して同一なサービスを提供する全ての隣接セルで無線ベアラーがどのように構成されるかを規定するために、別途の“サービスＲＢ情報”メッセージを伝送する。このような情報は、ＵＥが１つの特定サービスを受信することができるように、必須の細部構成事項を提供する。
【００１５】
“共通ＲＢ情報”メッセージの中の構成情報は、任意の共通的な構成のために利用されることができる（セル間、または、サービス間）。言い換えると、サービスまたはセル間に共通する構成情報があれば、これを“共通ＲＢ情報”メッセージに含めて伝送することができる。すると、“サービスＲＢ情報”メッセージでは共通構成情報が不要である。但し、“サービスＲＢ情報”メッセージは、“共通ＲＢ情報”メッセージ内の適用可能な共通構成に対する参照値のみを含めばよい。
【００１６】
所定セル内で利用可能なそれぞれのサービスと関連して、全体の無線構成に関する情報を提供する。このような無線構成情報は、実際の無線ベアラーのＲＢ構成（“実際の”ＲＢ構成）、伝送チャンネル（ＴｒＣｈ）構成（ＭＢＭＳ用ＦＡＣＨ）及び物理チャンネル（ＰｈｙＣｈ）構成（ＭＢＭＳ用Ｓ−ＣＣＰＣＨ）を含む。したがって、セルで利用可能な多数のサービスの間で、“実際の”ＲＢ構成または伝送チャンネル構成が共通するならば、このような共通構成に対する参照値は複製されるが、これはＭＣＣＨ上のシグナリングオーバーヘッドを増加させる。例えば、１つのＭＢＭＳサービスが第１無線ベアラーにより提供され、２番目のＭＢＭＳサービスが第２無線ベアラーにより提供されれば、これらのサービスが同一なサービス品質を要求する場合、両サービスは同一な伝送チャンネル（ＦＡＣＨ）にマッピングされる。それぞれのサービス毎に別途の“サービスＲＢ情報”メッセージがあるので、それぞれの“サービスＲＢ情報”メッセージ内のＦＡＣＨ用ＲＢ共通構成に対する参照値が複製されることになる。
【００１７】
このような複製過程を他の例を通じて例示する。現セルで５種のサービスがｐ−ｔ−ｍ伝送モードで提供され、各サービス別に６個の隣接セルのためにｐ−ｔ−ｍ  ＲＢ構成が提供されると仮定すれば、現技術水準を基準とすると、以下の表１に提示されたように、各サービス別にメッセージが提供される。
【００１８】
【表１】
2008510424.tif 000003
【００１９】
表１は１つの特定ＭＢＭＳサービスに対して‘サービスＲＢ情報’メッセージに含まれて伝送される情報を表している。このメッセージの内部には‘共通ＲＢ情報’メッセージに含まれて伝送されるＲＢ、ＴｒＣｈ及びＰｈｙＣｈ共通構成情報に対する参照値が存在する。前記‘サービスＲＢ情報’メッセージは、１つの特定ＭＢＭＳサービスに対する現セル及び全ての隣接セル（本例では６個）の構成情報を含む。
【００２０】
第１列はデータがどのセルを指すのか、即ち、現在のセルまたは６個の隣接セル（Ｎ−１乃至Ｎ−６）のうち、どの１つを指すのかを表す。次の３個の列での数字は、関連セルで使われるＲＢ、ＴｒＣｈ及びＰｈｙＣｈ構成の形態を表す。これらの数字の各々は“共通ＲＢ情報”メッセージに含まれた構成の特定形態を指す。表１を通じて与えられた例で図示されたサービスＡは、現セルで実際のＲＢ構成形態＝１、ＴｒＣｈ構成形態＝１、ＰｈｙＣｈ構成形態＝１を適用する。また、前記表から共通ＲＢの構成は、例えば少なくとも２種類の実際のＲＢ構成、３種類のＴｒＣｈ構成及び２種類のＰｈｙＣｈ構成を含むことが分かる。
【００２１】
所定のセルで全てのＭＢＭＳサービスが同一な物理チャンネルにマッピングされる場合が一般的であると見ることができる。したがって、サービス毎に別途のメッセージを使用する現技術水準では、それぞれのサービス毎に関連セルで利用されるＰｈｙＣｈ構成を、参照値を通じて表す。５種のサービスが提供される場合の例では、ＰｈｙＣｈ構成＝１の参照値が、各サービス毎に１つずつ、総計で５回表れるはずである。その結果、シグナリングが多量に発生するが、これは単に同一な情報をＵＥに数回提供することに過ぎない。その上、参照値ではなく、実際の構成情報を含むことを選択した場合には、このような構成情報の複製はシグナリングオーバーヘッドを大きく増加させる。
【００２２】
サービス単位でＲＢ構成を規定すれば、ＵＥは関心のないサービス、即ち非活性サービスに関するＲＢ構成情報を読取る必要がない。これは、ＵＥがＭＣＣＨを読取るべき時間を減少させることを助けることにより、ＵＥの電力消耗を減らす。しかしながら、このような方式によれば、前記の例から分かるように、ＭＣＣＨを介してＭＢＭＳ制御情報を複製する損失（この情報が実際の構成情報から構成されているか、実際の構成情報に対する参照値から構成されているかに関係ない）が発生する。
【００２３】
このように、既知のシステムの構成中には２種類の相反する要件が表れる。即ち、ＵＥの電力消耗を最小限に維持するためには、情報を複製して、ＵＥがＭＣＣＨを介してＭＢＭＳ制御情報を得ることにかかる時間を縮めなければならない。しかしながら、情報を複製すれば、シグナリングオーバーヘッドが増加する。即ち、ＭＢＭＳデータトラフィックと比較する際、ＭＢＭＳ制御情報の量が適当な限界内で維持できない。
【発明の開示】
【発明が解決しようとする課題】
【００２４】
本発明の目的は、前述した問題の一部または全部を克服または少なくとも低減することにある。
【課題を解決するための手段】
【００２５】
本発明の１つの側面によれば、本発明は、複数のセルと、無線インターフェースを介して現セルに位置した移動通信機器に複数のマルチキャスト／ブロードキャストサービスを提供するように構成された１つ以上のマルチキャスト／ブロードキャストサービスプロバイダを有するセルラー通信ネットワークにおいて、前記移動通信機器がマルチキャスト／ブロードキャストサービスを受信することができるように無線ベアラー構成情報を提供する方法であって、前記無線ベアラー構成と関連した情報を含んでいるメッセージを移動通信機器に提供するステップと、前記メッセージを周期的に前記現セルにある移動通信機器に伝送するステップとを含み、それぞれの前記メッセージは、前記移動通信機器が前記現セルにある時に、前記移動通信機器に対して伝送されることができる複数のマルチキャスト／ブロードキャストサービスと関連していることを特徴とする。
【００２６】
本発明の他の側面によれば、本発明は、ブロードキャストマルチキャストサービスセンターを有するコアネットワークと、１つのセルに位置した１つ以上の移動通信機器に対して無線インターフェースを経由して連結されるように構成された少なくとも１つの基地局に連結されている無線ネットワーク制御器を有する無線接続ネットワークを含んで、前記ブロードキャストマルチキャストサービスセンターからマルチメディアブロードキャストマルチキャストサービスを前記移動通信機器の中の１つに提供する地上波移動型セルラーネットワークにおいて、前記移動通信機器が少なくても１つのマルチメディアブロードキャストマルチキャストサービスを受信することができるように無線ベアラー構成を規定することに利用される無線ベアラー構成情報メッセージを、無線インターフェースを経由してマルチキャスト制御チャンネルを介して送る方法であって、各セル内でそれぞれの無線ベアラー構成情報メッセージを周期的に伝送するステップを含み、各セルに対する前記無線ベアラー構成メッセージは、前記セル内で前記移動通信機器が受信することができる複数のマルチメディアブロードキャストマルチキャストサービスと関連した無線ベアラー構成情報を含むことを特徴とする。
【００２７】
本発明の更に他の側面によれば、本発明は、複数のセルと、無線インターフェースを通じて現セルにサービスを提供するように構成された１つ以上のサービスプロバイダを有するセルラー通信ネットワークにおいて、移動通信機器が少なくても１つのサービスを受信することができるようにする情報を受信する方法であって、前記サービスのうち、少なくとも１つを前記現セルにある移動通信機器に伝送するように構成された無線ベアラーの無線ベアラー構成と関連したメッセージを受信するステップと、前記情報を利用して前記移動通信機器が少なくても１つのサービスを受信するための通信リンクを設定するステップとを含み、それぞれの前記メッセージは、前記移動通信機器が現セルまたは隣接セルから受信することができる複数のサービスと関連していることを特徴とする。
【発明の効果】
【００２８】
本発明は、無線ベアラー共通構成と関連した情報が、実際の共通構成情報でも、実際の共通構成情報に対する参照値でも関係なしに、前記情報の複製を避けることによってネットワークのシグナリングオーバーヘッドを減少させる利点を提供する。
【００２９】
また、共通構成情報と関連した参照値情報の複製を減らして、シグナリングオーバーヘッドを減少させる利点を提供する。
【発明を実施するための最良の形態】
【００３０】
本発明の具体的な実施例を添付図面を参照しつつ説明するが、これは例示に過ぎないものである。
【００３１】
図３は、既知のＭＢＭＳ ＵＭＴＳアーキテクチャのレイアウトを図示したものであり、これは本発明に係る方法を利用することに適している。
【００３２】
ＵＥ３０１が無線インターフェース（Ｕｕ）を経由してＵＴＲＡＮ３０３に連結されている。ＵＴＲＡＮ３０３は、Ｉｕインターフェースを経由してＳＧＳＮ（Serving GPRS Support Node）３０５に連結されている。Ｇｒインターフェースを経由してホーム位置登録機（ＨＬＲ：Home Location Register）３１７がＳＧＳＮ３０５に連結されている。また、Ｇｎ／Ｇｐインターフェースを経由してＧＧＳＮ（Gateway GPRS Support Node）３０７がＳＧＳＮ３０５に連結されている。ブロードキャストマルチキャストセンター（ＢＭ−ＳＣ：Broadcast Multicast Service Center）３０９がＧｍｂインターフェース及びＧｉインターフェースを経由してＧＧＳＮ３０７に連結されている。マルチキャストブロードキャストソース（Multicast Broadcast Source）３１１、３１３もネットワーク内に設けられている。コンテンツプロバイダ３１５がＢＭ−ＳＣ３０９に連結されている。
【００３３】
前記ＵＥ３０１が所定セルに進入すれば、そのセルの活性サービスの中の１つ以上に対して、データが提供されるかどうかを検査する。そのような活性サービスには、ＵＥが受信するために加入した任意のＭＢＭＳマルチキャストサービスと、ＵＥが（例えば、ネットワークを通じて）受信可能になった任意のブロードキャストサービスがある。また、前記サービス中の１つに対して新しいデータ伝送セッションが始まる時点、即ち、“セッション開始”時に、ＵＥ３０１はこのような新しいセッションを通知される。
【００３４】
特定のサービスに対する新しいデータ伝送セッションが始まる際（セッション開始）、ＵＴＲＡＮはＵＥにこれを報告または通知する。ＵＴＲＡＮ３０３が任意のデータをＵＥに提供する前、データ伝送を点対点モードで遂行するか、または点対多点モードで遂行するかを決定するために、セル内のＵＥの数を集計することはＵＴＲＡＮの選択である。
【００３５】
点対多点モードを選択するならば、現セル及び／または隣接セルで利用可能な全てのＭＢＭＳサービスに対するＲＢの細部構成事項が、ＭＣＣＨ上の無線インターフェースＵｕを介してＵＥ３０１に伝送される。すると、前記ＵＥ３０１は、提供されるＲＢ構成情報を利用して無線ベアラーとデータ伝送チャンネルを設定し、ＭＢＭＳサービスに該当するデータを受信する。
【００３６】
全体の無線構成としても参照されるＲＢ構成は、“実際の”ＲＢ構成、伝送チャンネル（ＴｒＣｈ）構成及び物理チャンネル（ＰｈｙＣｈ）構成を含む。
【００３７】
本発明では既知のシステムの“共通ＲＢ情報”メッセージを使用しない。“ＭＢＭＳ共通Ｐ−Ｔ−Ｍ ＲＢ情報”メッセージを代わりに使用するが、このメッセージは前述した“共通ＲＢ情報”メッセージと類似な方式により動作する。
【００３８】
既知のシステムで使われた“サービスＲＢ情報”メッセージを使用しない代わりに、新しいメッセージを使用してＵＥにＲＢ構成情報を提供することで、ＵＥが利用できる全てのＭＢＭＳサービスを受信するようにする。前記ＭＢＭＳサービスは、ＵＥの現セルに位置した基地局から受信されるか、または隣接セルに位置した基地局から受信されることができる。第１メッセージタイプは現セルに関連しており、現セルに位置した無線ベアラーから利用可能な全てのサービスに対するＲＢ構成情報を提供する。第２メッセージタイプは隣接セルに位置した無線ベアラーから利用可能な全てのサービスに対するＲＢ構成情報を提供する。これらのメッセージのそれぞれの例を以下で詳細に説明する。
【００３９】
ＭＢＭＳ共通Ｐ−Ｔ−Ｍ ＲＢ情報メッセージ
このメッセージはＵＴＲＡＮにより周期的に伝送されて、ＵＥにｐ−ｔ−ｍ  ＲＢ構成情報を提供するが、このｐ−ｔ−ｍ  ＲＢ構成情報は現セル及び／または隣接セルで適用可能な互いに異なるサービス間で共通にすることができる。このメッセージの内容は変更周期中には変わらない。
【００４０】
論理チャンネル：ＭＣＣＨ
方向：ＵＴＲＡＮ−>ＵＥ
【００４１】
【表２】
2008510424.tif 000004
【００４２】
ＭＢＭＳ現セルＰ−Ｔ−Ｍ ＲＢ情報メッセージ
このメッセージはＵＴＲＡＮにより周期的に伝送されて、ＵＥに所定セルで使われるＰＴＭ ＲＢ構成情報を提供するが、これはｐ−ｔ−ｍ無線ベアラーを利用して１つ以上のＭＢＭＳサービスを提供する場合である。このメッセージの内容は変更周期中に変わらない。
【００４３】
論理チャンネル：ＭＣＣＨ
方向：ＵＴＲＡＮ−>ＵＥ
【００４４】
【表３Ａ】
2008510424.tif 000005
【００４５】
【表３Ｂ】
2008510424.tif 000006
【００４６】
【表３Ｃ】
2008510424.tif 000007
【００４７】
ＭＢＭＳ隣接セルＰ−Ｔ−Ｍ ＲＢ情報メッセージ
このメッセージタイプはＵＴＲＡＮにより周期的に伝送されて、ＵＥに隣接セルで使われるｒ−ｔ−ｍ  ＲＢ構成情報を提供するが、このメッセージはＵＥがＭＢＭＳサービスの選択及び／またはソフト結合を遂行することができることを表す。このメッセージの内容は変更周期中に変わらない。
【００４８】
論理チャンネル：ＭＣＣＨ
方向：ＵＴＲＡＮ−>ＵＥ
【００４９】
【表４Ａ】
2008510424.tif 000008
【００５０】
【表４Ｂ】
2008510424.tif 000009
【００５１】
【表４Ｃ】
2008510424.tif 000010
【００５２】
ここで、注目する点は次の通りである。
【００５３】
この信号伝送方式は、ＵＴＲＡＮが１つのサービスを、一部の隣接セルに対するL１結合スロットに、そしてその他の隣接セルに対するＬ２結合スロットにマッピングするオプションを支援する。即ち、隣接セル毎に相異する結合方式を使用することができる。
【００５４】
隣接セルに対して完全なＬ２構成が提供される時のみに（例えば、Ｌ２構成選択で“相異”を利用）伝送結合は表されることができる。幸いに、隣接セル構成が現セルと異なるシナリオは、伝送結合（transport combining）を使用するための典型的なシナリオと見なされる。
【００５５】
ＦＤＤの場合、Ｓ−ＣＣＰＣＨ電力オフセットは、与えられたセルにおける１つのＳ−ＣＣＰＣＨとＰ−ＣＰＩＣＨとの間のオフセット（Ｐｓ−ｃｃｐｃｈ  −  Ｐｐ−ｃｐｉｃｈ）と定義される。ＴＤＤの場合、Ｓ−ＣＣＰＣＨ電力オフセットは、与えられたセルにおける１つのＳ−ＣＣＰＣＨとＰ−ＣＣＰＣＨとの間のオフセット（Ｐｓ−ｃｃｐｃｈ  −  ＰＰ−ＣＣＰＣＨ）と定義される。
【００５６】
Ｓ−ＣＣＰＣＨ電力オフセット差異情報要素は、ＵＥに、隣接セルのＳ−ＣＣＰＣＨ電力の指示を与え、これを利用すれば、ＵＥは、ＦＤＤに対するＰ−ＣＰＩＣＨ電力またはＴＤＤに対するＰ−ＣＣＰＣＨ電力に基づく隣接セルの順位付けを完成することができる。
【００５７】
“ＭＢＭＳ共通Ｐ−Ｔ−Ｍ ＲＢ情報”メッセージは、現セル及び／または隣接セルでｐ−ｔ−ｍ無線ベアラーが提供できる幾つかのサービスに共通するＰ−Ｔ−Ｍ ＲＢ構成情報をＵＥに提供する。
【００５８】
ＭＢＭＳセルＰ−Ｔ−Ｍ ＲＢ情報メッセージは、従来技術のように、それぞれのサービス別でなく、それぞれのセル別に、ＭＢＭＳ共通Ｐ−Ｔ−Ｍ ＲＢ情報メッセージに格納された共通構成情報に関する参照値をグループ化する。
【００５９】
与えられたセル、例えばセルＡには、そのセル内で提供される無線ベアラーから利用できる全てのｐ−ｔ−ｍ  ＭＢＭＳサービスに対するＲＢ構成情報を含む、１つの形態のＭＢＭＳセルＰ−Ｔ−Ｍ ＲＢ情報メッセージがある。このＭＢＭＳ“現セル”Ｐ−Ｔ−Ｍ  ＲＢ情報メッセージは、無線ベアラーが提供されるセル内の全てのＵＥに伝送される。
【００６０】
また、与えられたセルＡには、関連の隣接セル別に１つずつ伝送されて、そのセルに適用できる該ＲＢ構成情報を提供する、更に他の形態のＭＢＭＳセルＰ−Ｔ−Ｍ  ＲＢ情報メッセージがある。現セルで該隣接セル情報が伝送されることによって、ＵＥは、１つのセル、即ち現セル（ＵＥがＭＢＭＳ制御情報を得ることに選択したセル）のみからＭＢＭＳ制御情報を得ればよい。
【００６１】
例えば、６個の関連の隣接セルがある現セルの場合、現セルに１個、隣接セルに６個、総計で７個のＭＢＭＳセルＰ−Ｔ−Ｍ  ＲＢ情報メッセージがある。同様に、セルＡの隣接セルは、現セルであるセルＡに対するＲＢ構成情報を提供することができる。これによって、ＵＥは、現セル及び／または隣接セル内で無線ベアラーにより提供される特定サービスに対するＭＢＭＳデータを受信できることになる。
【００６２】
ＭＢＭＳ“隣接セル”Ｐ−Ｔ−Ｍ ＲＢ情報メッセージは、そのセル内の全てのＵＥに伝送される。このメッセージは、現セルの無線ベアラーから利用可能であると共に、同様に隣接セルからの無線ベアラーにより提供される、全てのＭＢＭＳサービスをＵＥが受信するために必要なＲＢ構成情報を提供する。即ち、セルＡに位置した任意のＵＥは、セルＡで無線ベアラーにより提供される任意の個数のＭＢＭＳサービスを受信することができる。また、前記ＵＥは、隣接セルで無線ベアラーにより提供される同一なサービスを受信することができる。‘隣接セル’メッセージに含まれたＲＢ構成情報は、隣接セルで無線ベアラーにより提供される同一なサービスをＵＥが受信するために必要なＲＢの細部構成事項を提供する。
【００６３】
‘現セル’及び‘隣接セル’ＲＢ構成情報メッセージは、それぞれのセルに特定されており、ＵＥが現位置で利用可能な全てのサービスに対するＲＢ構成情報を提供するため、これらのメッセージに含まれる共通構成情報に関する参照値の数が減少する。このような減少が下記表５に図示されている。
【００６４】
【表５】
2008510424.tif 000011
【００６５】
この例から、ＲＢ情報を‘セル単位’で規定する際、各セルに対するＰｈｙＣｈ構成をサービス毎に１回ずつでなく、一度だけ参照するということが分かる。同様に、ＴｒＣｈ構成に対する参照値の数が減少する。
【００６６】
前記表５は、伝送チャンネル別に３種類の相異する構成を表すが、伝送チャンネル構成が全てのサービスに対して同一にすることもできる。如何なる場合にもＲＢ情報メッセージに含まれた伝送構成に対する参照値はただ１つである。
【００６７】
ＭＢＭＳ共通Ｐ−Ｔ−Ｍ  ＲＢ情報メッセージ内に格納された共通構成情報に関するそれぞれの参照値が、ＭＣＣＨを介したシグナリング中、多数のビットを使用するので、各セル毎にＲＢ構成情報メッセージをグループ化することで、ＭＣＣＨ上のシグナリングオーバーヘッドを減少させる。
【００６８】
単に、共通構成に関する参照値ではなく、ＲＢの実際の詳細構成事項がＲＢ構成情報メッセージに含まれれば、シグナリングオーバーヘッドが既知のシステムに比べてより減少する。
【００６９】
また、ＵＥは現セルで無線ベアラーにより提供される全てのサービスと関連したＲＢ構成情報を含むメッセージを受信するだけでなく、隣接セル内の無線ベアラーに対するサービスと関連しているＲＢ構成情報を含むメッセージも受信する。したがって、これらのメッセージに関して、追加的なシグナリングオーバーヘッド利得が生じる。
【００７０】
移動通信機器がＭＢＭＳセルＰ−Ｔ−Ｍ ＲＢ構成情報メッセージを受信すれば、移動通信機器は、そのメッセージに含まれたＲＢ構成情報を使用してｐ−ｔ−ｍ通信リンクを設定する。ＭＢＭＳ“現セル”Ｐ−Ｔ−Ｍ  ＲＢ情報メッセージ（または、“隣接セル”ＲＢ情報メッセージ）内のＲＢ構成情報が、ただ単にＭＢＭＳ共通Ｐ−Ｔ−Ｍ  ＲＢ情報を参照すれば、ＭＢＭＳ共通Ｐ−Ｔ−Ｍ  ＲＢ情報メッセージに含まれた情報はｐ−ｔ−ｍ通信リンクを設定することに使われる。ｐ−ｔ−ｍ通信リンクはＭＢＭＳサービス中に提供される情報をＵＥが送受信できるようにする。
【００７１】
また、新しく定義されたＭＢＭＳセルＰ−Ｔ−Ｍ  ＲＢ構成情報メッセージ中のいずれかのＲＢ情報が変われば、ＵＴＲＡＮが関連メッセージをスケジューリングして、反復周期が始まる時点で該メッセージがＭＣＣＨを介して伝送されるようにする。変わらないＲＢ情報のみを含む任意のＭＢＭＳセルＰ−Ｔ−Ｍ ＲＢ構成情報メッセージは反復周期の末期に伝送される。また、ＵＴＲＡＮは、変更された情報を含む最終ＴＴＩを表すスケジューリング情報を提供することで、ＵＥが変更された情報を含む全てのメッセージの終わり地点を分かるようにする。したがって、ＵＥは変更された無線ベアラー情報を獲得するためには、反復周期の間に提供されるＭＣＣＨ情報の開始部分のみを読取ればよい。このような接近方式は、自身の活性サービス中の１つに変更が生じたことをＵＥが通知された後、ＭＣＣＨを読取らなければならない時間を減少させる。
【００７２】
ＭＣＣＨを介してＲＢ情報を伝送する間、本発明は各サービスでなく、各セルによってＲＢ情報をグループ化することで、共通ＲＢ構成情報に関する参照値の数を削減して、ＭＣＣＨを介したシグナリングオーバーヘッドを減少させる。
【００７３】
変更された情報は、反復周期が始まる際、ＭＣＣＨを介して伝送されるようにスケジューリングされて、特定シナリオでＵＥバッテリ消耗を減少させる。
【００７４】
前述した本発明の実施例は例示的なものであり、本発明の範囲から外れずに多様な変更及び修正が可能であるということが理解される。例えば、本発明をＵＭＴＳ無線インターフェースと関連して説明したが、ＲＢ構成情報をＵＥに伝送しなければならない他の類似システムにも適用することができる。
【００７５】
また、前記実施例では、ＲＢ構成情報を“サービス単位”でない“セル単位”で提供したが、“セル単位”と“サービス単位”を組合せたメッセージをシステムで利用できるということが理解される。即ち、所定のパラメータを利用して“セル単位”メッセージと“サービス単位”メッセージのうち、どれを使用することの方が、より効率がよいかを決定することができる。一例として、“セル単位”方法のシグナリングオーバーヘッドを計算して、仮りにシグナリングオーバーヘッドがしきい値を超過すれば、“セル単位”メッセージ使用モードに転換する。更に他の例として、特定のセルで利用可能なサービスの数が減少すれば、ＵＴＲＡＮが“セル単位”方法から“サービス単位”方法に転換して、構成情報をより効率よく伝送できるようにする。この特定の実施例では、ＵＥがサービスを受信するためにｐ−ｔ−ｍ通信リンクを設定する場合、“セル単位”タイプと“サービス単位”タイプメッセージのうち、いずれか１つを利用することができる。
【００７６】
また、現セル及び隣接セルＲＢ  Ｐ−Ｔ−Ｍ構成データを‘現セル’タイプメッセージ及び‘隣接セル’タイプメッセージに別途に含める代わりに、それぞれのセル内の無線ベアラーにより伝送される１つのメッセージに含めることができるということが理解される。即ち、構成データセットを単一データセットにグループ化して単一メッセージに伝送する。
【図面の簡単な説明】
【００７７】
【図１】既知のＵＭＴＳシステムに対するネットワークアーキテクチャを示す図である。
【図２】既知のメッセージをスケジューリングする既知のシステムを示す図である。
【図３】本発明に係る方法で利用するためのＭＢＭＳ ＵＭＴＳのレイアウトを示す図である。
【符号の説明】
【００７８】
１０１    コアネットワーク
１０３    無線ネットワーク下位システム
１０５    無線ネットワーク制御器
１０７    ノードＢ
２０１    最後の変更周期の以後に変更された各サービス関連ＭＢＭＳ ＲＢ情報
２０３    変更されていない各サービス関連ＭＢＭＳ ＲＢ情報
２０５    変更されていない共通ＲＢ情報
３０１    ＵＥ
３０３    ＵＴＲＡＮ
３０５    ＳＧＳＮ
３０７    ＧＧＳＮ
３０９    ブロードキャストマルチキャストセンター（ＢＭ−ＳＣ）
３１１、３１３    マルチキャストブロードキャストソース
３１５    コンテンツプロバイダ
３１７    ホーム位置登録機（ＨＬＲ）
【図１】
2008510424.tif 000012
【図２】
2008510424.tif 000013
【図３】
2008510424.tif 000014
【国際調査報告】
2008510424.tif 000015
2008510424.tif 000016